(57)【要約】      （修正有）【課題】細径のパイプを接続しておいて常時水分を供給できる折りたたみ自在の水筒において、平地に置いて使用する場合最大限収納した時でも、安定した状態で使用できる水筒を提供する。【解決手段】本体１１の底面線１３は、収納部の底部１４寄りに湾曲を呈していて、収納部の底部１４は、前記湾曲を呈する本体の底部線よりも上方に位置しながら、底面線寄りに湾曲を呈している。【選択図】図２
0003110543.tif 000002
【実用新案登録請求の範囲】
【請求項１】
収納部の底部１４は、本体１１の底面線１３より内方（上方）に位置しながらも、この底面線１３は内方（上方）の収納部の底部１４寄りに湾曲を呈していることを特徴とする折りたたみ自在な水筒。
【考案の詳細な説明】
【技術分野】
【０００１】  この考案は、登山やキャンプなどに使用される水筒に関するもので、飲料水などの中味を飲み終わった後は、小さく折りたたんで携行できる水筒に関するものである。
【背景技術】
【０００２】  昨今、中高年登山愛好者の増大とともに、リックサックに収め、細径のパイプを接続してリックサックの頂部に設けた孔から該パイプを出しておいて、常時水分を供給できる様にしたこの種の水筒の需要は多い。
しこうして、多層の樹脂で収納部が袋状に形成され、折りたたむことができる水筒の考案が最近散見される。
【考案が解決しようとする課題】
【０００３】  しかしながら従来の水筒は、底面線が直線を呈しているため、充填する時やテーブル等に置いて使用する時は、この底面線よりも水筒の収納部底部が床に接するために安定性が悪かった。そこで、係る状態に着目して案出された本考案は、
飲料水などを最大に収納した時でも、収納部底部が床に接することなく安定した状態で使用できる折りたたみ水筒を提供しようとするものである。
【課題を解決するための手段】
【０００４】  本考案に係る折りたたみ自在な水筒は、収納部の底部は、本体の底面線より内方（上方）に位置するとともに、この底面線は内方（上方）の収納部の底部寄りに湾曲を呈していていることを特徴としている。
【考案を実施するための最良の形態】
【０００５】  本考案を図面に示す実施の形態に基づき説明する。
図１は、知られている折りたたみ水筒を説明するもので、本体１の頂部に注入キャプ２を備え、片角部には吊り下げ孔５を有し、本体の底面線３は直線状を呈していて、収納部の底部４はこの底面線３の内方（上方）に位置している。【０００６】  図２は、本考案の折りたたみ水筒を説明するもので、本体１１の頂部に注入口キャプ１２を備え、片角部には吊り下げ孔１５を有し、収納部の底部１４は、本体の底面線１３よりも内方（上方）に位置していて、本体の底面線１３は、収納部の底部１４寄りの内方（上方）に湾曲している。【０００７】  図３は、本体１１の片角部に設けられている吊り下げ孔１５の使用例を説明するもので、図示のように適宜指を引っ掛け携行される。尚、前記説明のように、この折りたたみ水筒は、常時飲用に供するように樹脂製パイプを接続しておいての使用例もある。
【考案の効果】
【０００８】  このように本考案の折りたたみ水筒は、収納部の底部は、本体の底面線より内方（上方）に位置しながらも、この底面線は内方（上方）の収納部の底部寄りに湾曲を呈していることを特徴とするものであるから、本体に最大限収納したとしても、本体の底面線より下方に収納部の底部が位置する事が無いの、でテーブル等で使用する時、安定した状態で置いておくことができる効果を奏する。
【図面の簡単な説明】
【図１】公知の折りたたみ水筒を説明する図である。
【図２】本考案の折りたたみ水筒を説明する図である。
【図３】本体片角部に設けられた吊り下げ孔の使用例を説明する図である。
【符号の説明】
１１本体      １２キャプ      １３本体の底面線      １４収納部の底部
１５下げ孔
【図１】
0003110543.tif 000003
【図２】
0003110543.tif 000004
【図３】
0003110543.tif 000005
【手続補正書】
【提出日】平成16年11月17日(2004.11.17)
【手続補正１】
【補正対象書類名】実用新案登録請求の範囲
【補正対象項目名】全文
【補正方法】変更
【補正の内容】
【実用新案登録請求の範囲】
【請求項１】
本体１１の底面線１３は、収納部の底部１４寄りに湾曲を呈していて、
収納部の底部１４は、前記湾曲を呈する本体の底面線よりも上方に位置しながら、底面線寄りに湾曲を呈していることを特徴とする折りたたみ自在な水筒。
【手続補正２】
【補正対象書類名】明細書
【補正対象項目名】０００４
【補正方法】変更
【補正の内容】
【０００４】本考案に係る折りたたみ自在な水筒は、本体１１の底面線１３は、収納部の底部１４寄りに湾曲を呈していて、
収納部の底部１４は、前記湾曲を呈する本体の底面線よりも上方に位置しながら、底面線寄りに湾曲を呈していることを特徴としている。
【手続補正３】
【補正対象書類名】明細書
【補正対象項目名】０００５
【補正方法】変更
【補正の内容】
【０００５】本考案を図面に示す実施の形態に基づき説明する。
図１は、知られている折りたたみ水筒を説明するもので、本体１の頂部に注入キャップ２を備え、片角部には吊り下げ孔５を有し、収納部の底面線３は直線状を呈していて、収納部の底部４はこの底面線３の上方に位置している。
【手続補正４】
【補正対象書類名】明細書
【補正対象項目名】０００６
【補正方法】変更
【補正の内容】
【０００６】  図２は、本考案の折りたたみ水筒を説明するもので、本体１１の頂部には注入口キャップ１２を備え、片角部には吊り下げ孔１５を有し、本体１１の底面線１３は、収納部の底部１４寄りに湾曲を呈していて、
収納部の底部１４は、前記湾曲を呈する本体の底面線よりも上方に位置しながら、底面線１３寄りに湾曲を呈している。
【手続補正５】
【補正対象書類名】明細書
【補正対象項目名】０００８
【補正方法】変更
【補正の内容】
【０００８】  このように本考案の折りたたみ水筒は、本体の底面線は、収納部の底部寄りに湾曲を呈していて、
収納部の底部は、前記湾曲を呈する本体の底面線よりも上方に位置しながら、底面線寄りに湾曲を呈していることを特徴とするものであるから、本体に最大限収納したとしても、収納部の底部は本体の底面線より下方に位置する事が無いので、テーブル等で使用する時、安定した状態で放置しておける効果を奏する。
【手続補正６】
【補正対象書類名】明細書
【補正対象項目名】符号の説明
【補正方法】変更
【補正の内容】
【符号の説明】
１１本体    １２キャップ    １３本体の底面線    １４収納部の底部    １５下げ孔
【手続補正書】
【提出日】平成17年3月28日(2005.3.28)
【手続補正１】
【補正対象書類名】手続補正書
【補正対象項目名】手続補正６
【補正方法】変更
【補正の内容】
【手続補正６】
【補正対象書類名】明細書
【補正対象項目名】全文
【補正方法】変更
【補正の内容】
【考案の詳細な説明】
【技術分野】
【０００１】  この考案は、登山やキャンプなどに使用される水筒に関するもので、飲料水などの中味を飲み終わった後は、小さく折りたたんで携行できる水筒に関するものである。
【背景技術】
【０００２】  昨今、中高年登山愛好者の増大とともに、リックサックに納め、細径のパイプを接続してリックサックの頂部に設けた孔から該パイプを出しておいて、常時水分を供給できる様にしたこの種の水筒の需要は多い。
しこうして、多層の樹脂で収納部が袋状に形成され、折りたたむことができる水筒の考案が最近散見される。
【考案が解決しようとする課題】
【０００３】  しかしながら従来の水筒は、底面線が直線を呈しているため、充填する時やテーブル等に置いて使用する時は、この底面線よりも水筒の収納部底部が床に接するために安定性が悪かった。そこで、係る状態に着目して案出された本考案は、
飲料水などを最大に収納した時でも、収納部底部が床に接することなく安定した状態で使用できる折りたたみ水筒を提供しようとするものである。
【課題を解決するための手段】
【００４】本考案に係る折りたたみ自在な水筒は、本体１１の底面線１３は、収納部の底部１４寄りに湾曲を呈していて、
収納部の底部１４は、前記湾曲を呈する本体の底面線よりも上方に位置しながら、底面線寄りに湾曲を呈していることを特徴としている。
【考案を実施するための最良の形態】
【０００５】本考案を図面に示す実施の形態に基づき説明する。
図１は、知られている折りたたみ水筒を説明するもので、本体１の頂部に注入キャップ２を備え、片角部には吊り下げ孔５を有し、収納部の底面線３は直線状を呈していて、収納部の底部４はこの底面線３の上方に位置している。【０００６】  図２は、本考案の折りたたみ水筒を説明するもので、本体１１の頂部には注入口キャップ１２を備え、片角部には吊り下げ孔１５を有し、本体１１の底面線１３は、収納部の底部１４寄りに湾曲を呈していて、
収納部の底部１４は、前記湾曲を呈する本体の底面線よりも上方に位置しながら、底面線１３寄りに湾曲を呈している。【０００７】  図３は、本体１１の片角部に設けられている吊り下げ孔１５の使用例を説明するもので、図示のように適宜指を引っ掛け携行される。尚、前記説明のように、この折りたたみ水筒は、常時飲料に供するように樹脂製パイプを接続しておいての使用例もある。
【考案の効果】
【０００８】  このように本考案の折りたたみ水筒は、本体の底面線は、収納部の底部寄りに湾曲を呈していて、
収納部の底部は、前記湾曲を呈する本体の底面線よりも上方に位置しながら、底面線寄りに湾曲を呈していることを特徴とするものであるから、本体に最大限収納したとしても、収納部の底部は本体の底面線より下方に位置する事が無いので、テーブル等で使用する時、安定した状態で放置しておける効果を奏する。
【図面の簡単な説明】
【０００９】
【図１】公知の折りたたみ水筒を説明する図である。
【図２】本考案の折りたたみ水筒を説明する図である。
【図３】本体片角部に設けられた吊り下げ孔の使用例を説明する図である。
【符号の説明】
【００１０】１１本体      １２キャップ      １３本体の底面線      １４収納部の底部
１５下げ孔